(57)【要約】【課題】着用時において、着用者が長座位を保持したまま、臀部の左右両側および一対の下肢を前方向に向かって交互に移動させることによって前進移動を行ったとしても、おむつまたは下着に対してずれることが少なく、且つ、不透液性バックシートの裏面におけるフックテープの占有面積を最小限に抑えた吸収パッドおよびその製造方法を提供すること。【解決手段】  不透液性バックシート２１と、不透液性バックシート２１の表面側に存在する透液性トップシート２２との間に吸収体２３が介在されることによって成る吸収パッド２００の不透液性バックシート２１の裏面における背側に、一対の背側フックテープ３１を、背側から腹側に向かって裾広がりであるハの字状を成すように固着する。【選択図】図８
2010046173.tif 000002
【特許請求の範囲】
【請求項１】
不透液性バックシートと、不透液性バックシートの表面側に存在する透液性トップシートとの間に吸収体が介在されることによって成る吸収パッドであって、
不透液性バックシートの裏面における背側には、フック状突起を有すると共に長尺状を成す一対の背側フックテープが、背側から腹側に向かって裾広がりであるハの字状を成すように配置されつつ固着されている、ことを特徴とする吸収パッド。
【請求項２】
不透液性バックシートの裏面における腹側には、フック状突起を有すると共に、相互に異なる向きに伸びると共に一端同士が連続する一対のアーム状部から成る腹側フックテープが固着されており、この腹側フックテープは、一対のアーム状部の他端がこれらの一端よりも腹側に位置するよう配置されている、請求項１に記載の吸収パッド。
【請求項３】
帯状に延在する不透液性バックシートと、不透液性バックシートの延在方向と平行を成して帯状に延在する透液性トップシートとの間に吸収体を介在した帯状体が切断されることによって、吸収パッドを形成する吸収パッドの製造方法であって、
帯状体の不透液性バックシート側の外面に対して、一端同士が連続する一対のベルト状部が相互に異なる向きに伸びた形状であるフックテープを固着させた後、
一対のベルト状部をそれぞれの一端および他端の間で分離するように、帯状体を切断する、ことを特徴とする吸収パッドの製造方法。
【請求項４】
フックテープは、フック状突起を有すると共に帯状に延在するフック基材シートを、フック基材シートの延在方向に向かって裾広がりであるＶの字状またはＷの字状の切断線で切断することによって形成される、請求項３に記載の吸収パッドの製造方法。
【発明の詳細な説明】
【技術分野】
【０００１】
本発明は、尿や経血等の排泄物を吸収するために使用される吸収パッドおよびその製造方法に関するものである。
【背景技術】
【０００２】
老人や要介護者などの成人向けの使い捨ておむつにおいては、交換頻度を考慮して、内面に尿や経血等の吸収を目的とした吸収パッドを用いることが一般的になっている（例えば下記特許文献１参照）。このような構造を有する吸収パッドにおいては、一般的に、装着時のズレ防止のため、不透液性バックシートの裏面にフックテープが取り付けられている。そして、近年では、効果的にズレ防止効果を得られるように、一文字状に形成されたフックテープを吸収パッドの背側および腹側の両端またはその近傍に配置したタイプのものが提案されている（例えば下記特許文献２または３参照）。
【特許文献１】特開２００５−２８７７９１号公報
【特許文献２】特開２０００−１３９９８２号公報
【特許文献３】特許第３７６４０１０号
【発明の開示】
【発明が解決しようとする課題】
【０００３】
しかしながら、一文字状に形成されたフックテープを吸収パッドの背側および腹側の両端に配置したタイプの吸収パッドは、前後左右方向のズレは効果的に防止できるものの、斜め方向のズレを十分に防止することは困難であった。例えば、介護の現場や病院などにおいて、自立歩行は困難であるが、長座位を保持できるような着用者は、長座位を保持したまま、臀部の左右両側および一対の下肢を前方向に向かって交互に移動させることによって、前進移動をするというような行動をとることがある。着用者がこのような動きをとると、吸収パッドとおむつまたは下着との間において斜め方向に無理な力が掛るため、ズレが生じやすいという問題があった。
【０００４】
このような問題を解決すべくして、単純に不透液性バックシートの裏面におけるフックテープの占有面積を増すことで吸収パッドの固定機能の向上を図るということも考えられるが、フックテープの占有面積を増やすと、吸収パッドの柔軟性が失われてしまい、装着感が悪化してしまうという問題があった。
【０００５】
そこで、本発明の主たる課題は、着用時において、着用者が長座位を保持したまま、臀部の左右両側および一対の下肢を前方向に向かって交互に移動させることによって前進移動を行ったとしても、おむつまたは下着に対してずれることが少なく、且つ、不透液性バックシートの裏面におけるフックテープの占有面積を最小限に抑えた吸収パッドおよびその製造方法を提供することにある。
【課題を解決するための手段】
【０００６】
以下に、上記課題を解決するための手段とその作用効果を記述する。
〔請求項１に係る吸収パッドの作用〕
本請求項に係る吸収パッドは、
不透液性バックシートと、不透液性バックシートの表面側に存在する透液性トップシートとの間に吸収体が介在されることによって成る吸収パッドであって、
不透液性バックシートの裏面における背側には、フック状突起を有すると共に長尺状を成す一対の背側フックテープが、背側から腹側に向かって裾広がりであるハの字状を成すように配置されつつ固着されている、ことを特徴とするものである。
【０００７】
本請求項に係る吸収パッドの作用を以下に説明する。
本請求項に係る吸収パッドでは、長尺状の一対の背側フックテープが、不透液性バックシートの裏面における背側に、背側から腹側に向かって裾広がりであるハの字状を成すように配置されつつ固着されている。一対の背側フックテープがこのように配置されていると、吸収パッドの着用時に、一対の背側フックテープは、臀部の左右両側から一対の下肢の付け根近傍に沿って位置するようになる。そうすると、着用者が長座位を保持したまま、臀部の左右両側および一対の下肢を前方向に向かって交互に移動させたとしても、この移動によって力の掛る着用者の臀部および一対の下肢の付け根近傍を、一対の背側フックテープによっておむつまたは下着に対して固定できるため、吸収パッドがおむつまたは下着に対してずれてしまうことを効果的に防止することができる。
【０００８】
また、着用者が長座位を保持したまま、臀部の左右両側および一対の下肢を前方向に向かって交互に移動させた場合、吸収パッドに対して左右交互に力が掛る。そこで、本請求項に係る吸収パッドのように、一対の背側フックテープを、ハの字状を成して相互に離間するように配置することによって、一対の背側フックテープは、互いに独立的におむつまたは下着に対して固定されるため、臀部の左右両側および一対の下肢の動きに対して良好に追随するようになる。
【０００９】
さらに、上記の作用効果と共に、これら一対の背側フックテープは、長尺状を成しているため、不透液性バックシートの裏面における背側フックテープの占有面積を最小限に抑えることができ、背側フックテープの存在によって吸収パッドそのものの柔軟性が失われてしまうことがない。それに加えて、このように構成されていると、一つの吸収パッドに対する背側フックテープの使用量が少ないため、材料費を抑えることも可能となる。
【００１０】
〔請求項２に係る吸収パッドの作用〕
本請求項に係る吸収パッドは、請求項１に係る吸収パッドと同様の構成を有しており、さらに、不透液性バックシートの裏面における腹側には、フック状突起を有すると共に、相互に異なる向きに伸びると共に一端同士が連続する一対のアーム状部から成る腹側フックテープが固着されており、この腹側フックテープは、一対のアーム状部の他端がこれらの一端よりも腹側に位置するよう配置されている、ことを特徴とするものである。
【００１１】
本請求項に係る吸収パッドの作用を以下に説明する。
本請求項に係る吸収パッドは、請求項１に係る吸収パッドと同様の構成を有しているため、請求項１に係る吸収パッドと同様に作用する。さらに、不透液性バックシートの裏面における腹側に、相互に異なる向きに伸びると共に一端同士が連続する一対のアーム状部から成る腹側フックテープが、一対のアーム状部の他端がこれらの一端よりも腹側に位置するよう配置されていることによって、吸収パッドの着用時に、一対のアーム状部は鼠径部と略平行を成す。そうすると、着用者が一対の下肢を相互に近づけて股を閉じる際に、腹側フックテープが下肢の動きに対して依れることがないため、おむつまたは下着に対してずれてしまうことがない。
【００１２】
〔請求項３に係る吸収パッドの製造方法の作用〕
本請求項に係る吸収パッドの製造方法は、
帯状に延在する不透液性バックシートと、不透液性バックシートの延在方向と平行を成して帯状に延在する透液性トップシートとの間に吸収体を介在した帯状体が切断されることによって、吸収パッドを形成する吸収パッドの製造方法であって、
帯状体の不透液性バックシート側の外面に対して、一端同士が連続する一対のベルト状部が相互に異なる向きに伸びた形状であるフックテープを固着させた後、
一対のベルト状部をそれぞれの一端および他端の間で分離するように、帯状体を切断する、ことを特徴とするものである。
【００１３】
本請求項に係る吸収パッドの製造方法の作用を以下に説明する。
本請求項に係る吸収パッドの製造方法は、請求項２に係る吸収パッドの製造方法である。本請求項に係る吸収パッドの製造方法によれば、帯状体の不透液性バックシート側の外面に対して、一端同士が連続する一対のベルト状部が相互に異なる向きに伸びた形状であるフックテープを固着させた後、一対のベルト状部を、それぞれの一端および他端の間で分離するように、帯状体を切断するという簡単な工程で、請求項２に係る吸収パッドを製造することができるため、製造に掛るコストが少なくて済む。
【００１４】
〔請求項４に係る吸収パッドの製造方法の作用〕
本請求項に係る吸収パッドの製造方法は、請求項３に係る吸収パッドの製造方法と同様の工程を有しており、さらに、フックテープは、フック状突起を有すると共に帯状に延在するフック基材シートを、フック基材シートの延在方向に向かって裾広がりであるＶの字状またはＷの字状の切断線で切断することによって形成される、ことを特徴とするものである。
【００１５】
本請求項に係る吸収パッドの製造方法の作用を以下に説明する。
本請求項に係る吸収パッドの製造方法は、請求項３に係る吸収パッドの製造方法と同様の工程を有しているため、請求項３に係る吸収パッドの製造方法と同様に作用する。さらに、本請求項に係る吸収パッドの製造方法においては、フックテープが、帯状に延在するフック基材シートを、フック基材シートの延在方向に向かって裾広がりであるＶの字状またはＷの字状の切断線で切断することによって形成されるため、フックテープの製造過程において廃材がでることがない。
【発明の効果】
【００１６】
以上説明したように、本発明によれば、着用時において、着用者が長座位を保持したまま、臀部の左右両側および一対の下肢を前方向に向かって交互に移動させることによって前進移動を行ったとしても、おむつまたは下着に対してずれることが少なく、且つ、不透液性バックシートの裏面におけるフックテープの占有面積を最小限に抑えた吸収パッドおよびその製造方法を提供することができる。
【発明を実施するための最良の形態】
【００１７】
次に、本発明に係る吸収パッドの実施の形態について尿吸収パッドの例を引いて説明するが、本発明は生理用ナプキン等の他の吸収パッドにも適用できるものである。なお、以下の説明において「股間部」とは使用時に身体の股間と対応させる部分を意味し、殆ど多くの製品では前後方向中央部及びその前後近傍の部分である。具体的には、成人向け製品の場合、製品の前後方向中央を基準として±１５０ｍｍの範囲である。また、「腹側部分」及び「前側部分」は股間部よりも前側の部分を意味し、「背側部分」及び「後側部分」は股間部よりも後側の部分を意味する。
【００１８】
（テープ式使い捨ておむつについて）
図１〜図６は、本発明に係るテープ式使い捨ておむつの一例１００を示しており、この使い捨ておむつ１００は、外面に外装シート１２が積層された不透液性バックシート１の内面と、透液性トップシート２との間に、吸収体３が介在されているものである。
【００１９】
不透液性バックシート１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００２０】
外装シート１２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。外装シート１２に用いる不織布の繊維目付けは１３〜３０ｇ／ｍ2であるのが好ましく、厚みは０．０５〜１ｍｍであるのが好ましい。
【００２１】
透液性トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。透液性トップシート２に用いる不織布の繊維目付けは１５〜３０ｇ／ｍ2であるのが好ましく、厚みは０．０５〜１ｍｍであるのが好ましい。
【００２２】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体４におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００２３】
不透液性バックシート１は、吸収体３の周囲より外方に延在して略矩形状をなしている。不透液性バックシート１の側方延在部の内面にはバリヤーシート４の幅方向外側の部分４ｘが前後方向全体にわたり貼り付けられ、吸収体３の存在しないサイドフラップ部ＳＦを構成している。バリヤーシート４の幅方向中央側の部分４ｃはトップシート２上にまで延在しており、その幅方向中央側の端部には、細長状弾性部材４Ｇが前後方向に沿って伸張状態でホットメルト接着剤等により固定されている。この細長状弾性部材４Ｇ及び後述する細長状弾性部材１３としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２４】
透液性トップシート２は、吸収体３より若干大きめの砂時計形状とされ、吸収体３側縁より若干外方に延在する部分がバリヤーシート４と不透液性バックシート１との間に介在され不透液性バックシート１側にホットメルト接着剤等により固着されている。この固着部分は図３及び図４では点模様で示されている。バリヤーシート４の素材としては、プラスチックシートやメルトブローン不織布を使用することもできるが、肌への感触性の点で、不織布にシリコンなどにより撥水処理をしたものが好適に使用される。
【００２５】
不透液性バックシート１の外面を不織布で覆う場合には、不透液性バックシート１に代えて、外装不織布を吸収体３の周囲より外方に延在させてバリヤーシート４の側部とともに、吸収体８の存在しないサイドフラップ部ＳＦを構成することもできる。この場合、不透液性バックシート１をサイドフラップ部ＳＦまで延在させず、トップシート２と同様の形状とすることができる。
【００２６】
図３及び図４にも示されるように、両バリヤーシート４，４は、幅方向外側の部分４ｘが前後方向全体にわたり物品内面（図示形態ではトップシート２表面およびバックシート１内面）に着脱しないように固定されるとともに、幅方向中央側の部分４ｃが、前後方向の両端部では物品内面（図示形態ではトップシート２表面）に着脱しないように固定され、かつ前後方向の両端部間では物品内面（図示形態ではトップシート２表面）に固定されていない。この非固定部分は、図４に示されるように、物品内面（図示形態ではトップシート２表面）に対して起立可能なバリヤー部となる部分であり、その起立基端４ｂはバリヤーシート４における幅方向外側の固定部分４ｘと内側の部分４ｃとの境に位置する。
【００２７】
使い捨ておむつ１００の前後方向両端部では、不透液性バックシート１および透液性トップシート２が吸収体３の前後端よりも前後両側にそれぞれ延在され、吸収体３の存在しないエンドフラップ部ＥＦが形成され、このうち背側のエンドフラップ部ＥＦにおいては、複数本、図示の例では３本の糸状弾性部材７，７…が幅方向に沿って配設されている。この糸状弾性部材７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
また、背側Ｂ１の胴回り部における両サイドフラップ部ＳＦには、それぞれファスニングテープ５，５が側方に突出するように取り付けられるとともに、使い捨ておむつ１００の腹側Ｆ１の胴回り部表面に幅方向に沿ってフロントターゲットテープ６が貼着されており、このフロントターゲットテープ６にファスニングテープ５の接合片８ａを止着することによって使い捨ておむつ１００が身体に装着されるようになっている。
【００２８】
図示例のファスニングテープ５は、１枚のファスニング基材シート８の内端側を使い捨ておむつ１００側に接着して取り付けられ、先端側には外側縁から延在して上下２段で側方に突出する接合片８ａ、８ａが形成され、接合片８ａ、８ａの間のファスニング基材シート８部分に対し、外側縁から内側に向かい、かつ水平方向に沿ってミシン目１０が設けられているものであるが、これに限られず公知のファスニングテープを用いることができる。ファスニング基材シート８としては、種々のシート材を使用することができるが、好ましくは坪量４０〜８０ｇ／ｍ2の単層又は複層の不織布を用いるのがよい。加工法は強度特性に優れたスパンボンドが好ましい。接合片８ａ、８ａの内面側（透液性表面シート２側）には、表面にフック状突起を多数有するフックテープ（メカニカルファスナーの雄材）９，９がそれぞれ取り付けられ、フック状突起が着脱可能に掛止される表面を有するフロントターゲットテープ（メカニカルファスナーの雌材）６へ接合可能となっている。
【００２９】
特徴的には、おむつ１００幅方向両側における吸収体３の裏面側に、腹側部分Ｆ１から背側部分Ｂ１にわたり延在するとともに、股間部Ｃ１で幅方向中央側に膨出するように、複数本の細長状弾性部材１３がそれぞれ設けられている。この弾性部材１３は、本実施形態では外装シート１２とバックシート１との間に接着剤を用いて固定されているが、バックシート１の内面に固定することもできる。
【００３０】
特に本実施形態においては、サイドフラップ部ＳＦにおいて、脚周りに沿うように形成された括れ部分に沿って延在する複数本（図示例では５本）の外側弾性部材１３ｓと、腹側及び背側のサイドフラップ部ＳＦに始端及び終端を有し、股間側の部分において吸収体と重なる部分まで内側に膨出延在する複数本（図示例では３本）の内側弾性部材１３ｉとが設けられている。
【００３１】
内側弾性部材１３ｉは、股間部Ｃ１から離間するにつれて幅方向外側に位置変化するものであり、その変化の傾き（前後方向に対する）は腹側に延在する部分よりも背側に延在する部分の方が急になっており、外側弾性部材１３ｓに近接した後は外側弾性部材に沿って一定の間隔で延在されている。
【００３２】
股間部Ｃ１における幅方向一方側の内側弾性部材１３ｉと幅方向他方側の内側弾性部材１３ｉとの最小幅方向間隔ｄ１は適宜定めることができるが、１０〜１５０ｍｍであるのが好ましい。この間隔ｄ１が狭すぎると、後述する吸収パッド２００の弾性部材３３と重なり易くなるか又は重なる面積が大きくなり、また広過ぎると、吸収パッド２００の幅方向両側と重ならなくなるか又は重なる面積が少なくなり、いずれにせよ、フィット性の向上効果が乏しくなるおそれがある。
【００３３】
細長状弾性部材１３ｓ，１３ｉとしては、糸状、紐状、帯状等の適宜の形状の合成又は天然ゴムを用いることができる。合成ゴムを用いる場合、太さ４００〜１２００ｄｔｅｘ程度のものを伸張率１８０〜３００％程度で設けるのが好ましい。また、外側弾性部材１３ｓは２〜１０ｍｍの間隔で１〜１０本程度並設するのが好ましく、内側弾性部材１３ｉは２〜１５ｍｍの間隔で１〜１０本程度並設するのが好ましい。
【００３４】
（吸収パッドについて）
図７〜１１は、本実施の形態に係る吸収パッド２００を示している。
吸収パッド２００は、紙おむつ１００の内面に敷いて使用されることを想定したものであり、股間部Ｃ２と、その前後両側に延在する前側部分Ｆ２及び背側部分Ｂ２とを有するものである。各部の寸法は適宜定めることができ、例えば、物品全長（前後方向長さ）Ｌ１は３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、腹側部分Ｆ２の前後方向長さは５０〜３５０ｍｍ程度、及び背側部分Ｂ２の前後方向長さは５０〜３５０ｍｍ程度とすることができる。
【００３５】
吸収パッド２００は、不透液性バックシート２１の内面と、透液性トップシート２２との間に、吸収体２３が介在された基本構造を有している。
【００３６】
吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は、相対的に前側の部分が後側の部分よりも幅広な帯状、あるいは長方形状、台形状等、適宜の形状とすることができる。
【００３７】
吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００３８】
吸収体２３の裏面側には、不透液性バックシート２１が吸収体３の周縁より所定長さ食み出すように設けられている。不透液性バックシート２１としては、ポリエチレンフィルムやラミ不織布等の他、ムレ防止の点から遮水性を損なわずに透湿性および通気性を備えたシートも用いることができる。この遮水・透湿性・通気性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００３９】
吸収体２３の表面側は、透液性トップシート２２により覆われている。図示形態ではトップシート２２の側縁から吸収体２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００４０】
吸収パッド２００の前後方向両端部では、透液性トップシート１が吸収体３の前後端よりも前後両側にそれぞれ延在されて貼り合わされ、吸収体２３の存在しないエンドフラップ部ＥＦが形成されている。
【００４１】
吸収パッド２００の両側部では、不透液性バックシート２１が吸収体２３の側縁よりも外側にそれぞれ延在され、この延在部からトップシート２２の側部までの部分の内面にはバリヤーシート２４の幅方向外側の部分２４ｘが前後方向全体にわたり貼り付けられ、吸収体２３の存在しないサイドフラップ部ＳＦを構成している。これら貼り合わせ部分は、図９及び図１０では点模様で示されており、ホットメルト接着剤、ヒートシール、超音波シールにより形成できる。
【００４２】
エンドフラップ部ＥＦ及びサイドフラップ部ＳＦ以外の吸収体介在部分が本体部ＢＤを構成する。図示形態では、吸収体３の前端及び後端はそれぞれ幅方向に沿う直線状をなしているため、前後エンドフラップ部ＥＦと本体部ＢＤとの境界ＢＬ（本発明では折り目となる）も同様の直線状となるが、これらは円弧状等の曲線状をなしていても、へ字状等の屈曲線状をなしていても良い。各エンドフラップ部ＥＦの寸法は適宜定めることができるが、エンドフラップ部ＥＦにおいて不透液性バックシート２１と透液性トップシート２２およびバリヤーシート２４とが確実に貼り合わせられるため、少なくとも一部が本体部ＢＤとの境界ＢＬから１０ｍｍ以上食み出しているのが好ましく、また各エンドフラップ部ＥＦの面積は２０００〜１２０００ｍｍ2程度確保されているのが好ましい。
【００４３】
バリヤーシート２４の素材としては、プラスチックシートやメルトブローン不織布を使用することもできるが、肌への感触性の点で、不織布にシリコンなどにより撥水処理をしたものが好適に使用される。
【００４４】
バリヤーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００４５】
また、両バリヤーシート２４，２４は、幅方向外側の部分２４ｘが前後方向全体にわたり物品内面（図示形態ではトップシート２２表面およびバックシート２１表面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図１０に示されるように、物品内面（図示形態ではトップシート２２表面）に対して起立可能なバリヤー部となる部分であり、その起立基端２４ｂはバリヤーシート２４における幅方向外側の固定部分２４ｘと内側の部分２４ｃとの境に位置する。
【００４６】
そして、特徴的には、不透液性バックシート２１の裏面における背側には、表面に細かなフック状突起を多数有しており、透液性トップシート２を構成する不織布に対して着脱可能に接合可能である一対の背側フックテープ３１が固着されている。これらの背側フックテープ３１は、長尺状に形成されており、背側から腹側に向かって裾広がりであるハの字状を成すようにして配置されている。また、これらの背側フックテープ３１は、一端３１ａが吸収パッド２００の背側端縁と接触するように配置されており、吸収パッド２００の背側端縁から延出するような形となっている。さらに、一対の背側フックテープ３１は、重複しないように相互に離間し、且つ、図１１（ａ）に示すように、相互に角度θを成すように配置されている。また、一対の背側フックテープ３１の腹側に位置する他端３４ｂ側は先細りとなっており先鋭な形状を成している。
【００４７】
この一方、不透液性バックシート２１の裏面における腹側には、表面に細かなフック状突起を多数有しており、透液性トップシート２を構成する不織布に対して着脱可能に接合可能である腹側フックテープ３３が固着されている。この腹側フックテープ３３は、相互に異なる向きに伸びると共に一端３４ａ同士が連続する一対のアーム状部３３ｃから成り、一対のアーム状部３３ｃの他端３４ｂがこれらの一端３４ａよりも腹側に位置するよう配置されており、背側から腹側に向かって裾広がりであるＶの字状を成している。
【００４８】
一対の背側フックテープ３１は、図１１（ａ）に示すように、腹側フックテープ３２の一対のアーム上部３４ｃを延長して切り離した形状となっており、腹側フックテープ３２における一対のアーム上部３４ｃが成す角度θと、一対の背側フックテープ３１が成す角度θは同一となっている。つまり、一対の背側フックテープ３１の幅方向長さ３１ｘは、腹側フックテープ３２の幅方向長さ３３ｘと、一対の背側フックテープ３１の前後方向長さ３１ｙは、腹側フックテープ３２の前後方向長さ３３ｙと、それぞれ同一となっている。
【００４９】
一対の背側フックテープ３１および一対のアーム上部３４ｃが成す角度θは、５°〜９０°とすることができ、その中でも特に、１５°〜４５°の範囲であることが好ましい。一対の背側フックテープ３１の幅方向長さ３１ｘおよび腹側フックテープ３２の幅方向長さ３３ｘは、５ｍｍ〜２０ｍｍの範囲であることが好ましく、この一方、一対の背側フックテープ３１の前後方向長さ３１ｙおよび腹側フックテープ３２の前後方向長さ３３ｙは、５ｍｍ〜３０ｍｍの範囲であることが好ましい。また、一対の背側フックテープ３１の他端３１ｂ間の長さ３１ｗは、吸収パッド２００の幅方向長さＷ１を超えないようになっており、具体的には、長さ３１ｗは長さＷ１よりも１０ｍｍ〜５０ｍｍ程度短くなっている。さらに、一対の背側フックテープ３１および腹側フックテープ３２の合計面積は、吸収パッド２００の裏面における面積の２％〜６％の範囲であることが好ましい。２％より少ないとおむつまたは下着に対する接着力が十分に確保できず、６％を超えると吸収パッド２００が硬くなってしまい、装着感が低下する。
【００５０】
一対の背側フックテープ３１および腹側フックテープ３２を構成するフック状突起は、キノコ型、レ字状、Ｊ字状、Ｔ字状、ダブルＪ字状（Ｊ字状のものを背合わせに結合した形状のもの）等の形状とすることができる。この場合、フック状突起のピンの長さは５０〜５００μｍとすることができ、その中でも特に、３００〜４００μｍとすることが好ましい。
【００５１】
フック状突起の数密度、すなわち単位面積当りに配置されるフック状突起の数は、２０〜６００個／ｃｍ2、特に１５０〜３５０個／ｃｍ2とするのが好ましい。フック状突起の数密度は適宜定めることができるが、あまり疎らであったり、密であったりすると、止着力が弱くなる。また、フック状突起の付け根間のピッチｐとしては、２０〜２０００μｍであるのが好ましく、８０〜７００μｍであると更に好ましい。
【００５２】
一対の背側フックテープ３１および腹側フックテープ３２は、ホットメルト接着剤等により取り付けることができ、接着剤はベタ塗りであっても、散点状等のパターン塗りであっても良い。
【００５３】
一対の背側フックテープ３１および腹側フックテープ３２の基材シートは、特に限定されるものではないが、ポリエチレン、ポリエチレン等の合成樹脂を用いることができる。また、基材シート３１ａの厚みは特に限定されるものではないが柔軟性および強度を両立させることを考えると、５０〜１００μｍとするのが好ましい。
【００５４】
次に、本実施の形態に係る吸収パッド２００の作用を説明する。
一対の背側フックテープ３１が、背側から腹側に向かって裾広がりであるハの字状を成すようにして配置されていると、吸収パッド２００の着用時に、一対の背側フックテープ３１は、臀部の左右両側から一対の下肢の付け根近傍に沿って位置するようになる。そうすると、着用者が長座位を保持したまま、臀部の左右両側および一対の下肢を前方向に向かって交互に移動させたとしても、この移動によって力の掛る着用者の臀部および一対の下肢の付け根近傍を、一対の背側フックテープ３１によっておむつまたは下着に対して固定できるため、吸収パッド２００がおむつまたは下着に対してずれてしまうことを効果的に防止することができる。
【００５５】
また、着用者が長座位を保持したまま、臀部の左右両側および一対の下肢を前方向に向かって交互に移動させた場合、吸収パッド２００に対して左右交互に力が掛る。そこで、本実施の形態に係る吸収パッド２００のように、一対の背側フックテープ３１を、ハの字状を成して相互に離間するように配置することによって、一対の背側フックテープ３１は、互いに独立的におむつまたは下着に対して固定されるため、臀部の左右両側および一対の下肢の動きに対して良好に追随するようになる。
【００５６】
さらに、上記の作用効果と共に、これら一対の背側フックテープ３１は、長尺状を成しているため、不透液性バックシート２１の裏面における背側フックテープ３１の占有面積を最小限に抑えることができ、背側フックテープ３１の存在によって吸収パッド２００そのものの柔軟性が失われてしまうことがない。それに加えて、このように構成されていると、一つの吸収パッド２００に対する背側フックテープ３１の使用量が少ないため、材料費を抑えることも可能となる。
【００５７】
この一方、不透液性バックシート２１の裏面における腹側に、相互に異なる向きに伸びると共に一端同士が連続する一対のアーム状部３３ｃから成る腹側フックテープ３３が、一対のアーム状部３３ｃの他端３３ｂがこれらの一端３３ａよりも腹側に位置するよう配置されていることによって、吸収パッド２００の着用時に、一対のアーム状部３３ｃは鼠径部と略平行を成す。そうすると、着用者が一対の下肢を相互に近づけて股を閉じる際に、腹側フックテープ３３が下肢の動きに対して依れることがないため、おむつまたは下着に対してずれてしまうことがない。
【００５８】
本実施の形態に係る吸収パッド２００における不透液性バックシート２１の裏面には、一対の背側フックテープ３１および腹側フックテープ３２以外にもフックテープを取り付けて、おむつまたは下着に対する固着力を強化することも考え得るが、着用者の長座位での前進運動に対する、一対の背側フックテープ３１および腹側フックテープ３２の追随性が低下してしまうためあまり好ましくない。
【００５９】
尚、本実施の形態に係る吸収パッド２００は、パンツ式使い捨て紙おむつに取り付けることも可能となっている。
パンツ式使い捨て紙おむつの一例の構造を説明すると、図１６に示すように、本例のパンツ式使い捨て紙おむつ４００は、おむつ外形をなす不透液性バックシート４０５と、この不透液性バックシート４０５の表面を覆うように固定された透液性トップシート４０６と、この透液性トップシート４０６の内面に固定され、おむつ幅方向中央において股間部Ｃ３を中心として前後方向に延在する吸収体４０３と、吸収体４０３の前端部および後端部のそれぞれから胴周り部Ｔまで且つ外形に沿う幅で延在する前後漏れ防止シート４１１と、を主体として構成されている。
【００６０】
図１６に示されるパンツ式使い捨て紙おむつ４００においては、体へのフィット性を高めるために、適所に糸ゴム等の弾性伸縮部材が配置固定される。本例では、胴周りのフィット性を高め尿の前後漏れを防止するために、胴周り部Ｔに、複数のウエスト伸縮部材４０８が縦方向に１〜１０ｍｍ程度の間隔をおいて短手方向に沿って伸張下に配置固定されている。
【００６１】
脚周りのフィット性を高めるために、腹側および背側のそれぞれにおいて一方側の側縁部４３０から脚周りを通り、股間部Ｃ３を通り、他方側の脚周りを通り他方側の側縁部４３０まで延在する３〜５本程度の脚周り伸縮部材４０９が、側縁部４３０および股間部Ｃ３においては間隔をあけずに且つ脚周り部においては３〜５ｍｍの間隔をあけて、不透液性バックシート４０５と透液性トップシート４０６との間に挟持固定されている。
なお、以上に説明したシート相互の固定ならびにシートに対する伸縮部材の固定は、ホットメルト接着剤等の接着剤を用いて行うことができる。
【００６２】
次に、吸収パッド２００の製造方法を、図１３を参照しつつ説明する。
図１３に示すように、帯状に延在するフック基材シート３００が、その延在方向と平行を成すライン方向Ａに向かって流されると共に、Ｖの字状の切断線Ｘ１で間欠的に切断されることによって、一端同士が連続する一対のベルト状部３５ａが相互に異なる向きに伸びた形状であるフックテープフックテープ３５が形成される。尚、Ｖの字状の切断線Ｘ１は、フック基材シート３００のライン方向Ａとは逆の方向に向かって裾広がりとなっている。
【００６３】
この一方、帯状に延在する不透液性バックシートと、不透液性バックシートの延在方向と平行を成して帯状に延在する透液性トップシートとの間に吸収体を介在した帯状体２５０が、その延在方向と平行を成すライン方向Ｂに向かって流される。
【００６４】
そして、Ｖの字状に切断されたフックテープ３５は、帯状体２５０の切断線Ｘ２を一対のベルト状部３５ａがそれぞれ跨るようにして、且つ、Ｖの字状のフックテープ３５がライン方向Ｂと逆の方向に向かって裾広がりとなるようにして、帯状体２５０における不透液性バックシートの裏面側に固着される。その後、一対のベルト状部３５ａをそれぞれの一端および他端の間で分離するように、帯状体２５０を切断することによって、吸収パッド２００が製造される。
【００６５】
次に、本実施の形態に係る吸収パッド２００の製造方法の作用を説明する。
本実施の形態に係る吸収パッドの製造方法によれば、帯状体２５０の不透液性バックシート側の外面に対して、一端同士が連続する一対のベルト状部３５ａが相互に異なる向きに伸びた形状であるフックテープ３５を固着させた後、一対のベルト状部３５ａを、それぞれの一端および他端の間で分離するように、帯状体２５０を切断するという簡単な工程で、本発明に係る吸収パッド２００を製造することができるため、製造に掛るコストが少なくて済む。
【００６６】
また、フックテープ３５が、帯状に延在するフック基材シート３００を、フック基材シート３００の延在方向に向かって裾広がりであるＶの字状の切断線Ｘ２で切断することによって形成されるため、フックテープ３５の製造過程において廃材がでることがない。
【００６７】
（他の実施形態）
次に、本発明に係る他の実施形態について添付図面を参照しつつ説明する。
吸収パッド２００のサイドフラップ部ＳＦは、図１４に示すように、製品状態で内側に巻き込んだ状態でも良く、この場合、両バリヤーシート２４，２４は、不透液性バックシート２１の裏面に接着されている。また、このように構成する際には、フックテープ３１の幅方向長さは、サイドフラップ部ＳＦ分だけ短く形成すれば良い。
【００６８】
吸収パッド２００の形状は、上記実施の形態に示すような砂時計状以外にも、矩形状や、角が無く丸みを帯びた形状や、背側部分Ｂ２を腹側部分Ｆ２よりも大きくした形状や、股間部の幅方向両側を円弧状に切り欠いた形状などとすることも可能である。
【００６９】
また、図１５に示すように、吸収パッド２００の製造方法において、フックテープ３５をＷの字状に形成することも可能である。この場合、製造された吸収パッド２００には、同形の腹側フックテープ３３が２つ形成され、また、一対の背側フックテープ３１の間にＶの字状の中側フックテープ３２が配置されることとなる。このようにして形成された吸収パッド２００は、腹側フックテープ３３が２つ形成され、且つ、一対の背側フックテープ３１の他に中側フックテープ３２が形成されているため、追随性が若干犠牲になるものの、ズレ防止効果が向上する。
【産業上の利用可能性】
【００７０】
本発明は、吸収パッドである限り、使い捨ておむつと組み合わせて用いられるものの他、生理用ナプキンにも利用可能である。生理用ナプキンのように下着の内面にパッドを固定する場合には、止着手段（必要であれば接合手段も同様）は下着への止着が可能なものとされる。
【図面の簡単な説明】
【００７１】
【図１】テープ式使い捨ておむつの展開状態の内面側を示す平面図である。
【図２】Ｖ−Ｖ拡大断面図である。
【図３】Ｘ−Ｘ拡大断面図である。
【図４】Ｗ−Ｗ拡大断面図である。
【図５】要部拡大平面図である。
【図６】テープ式使い捨ておむつの展開状態の外面側を示す平面図である。
【図７】本発明の実施の形態に係る吸収パッドの展開状態の表面側を示す平面図である。
【図８】本発明の実施の形態に係る吸収パッドの展開状態の裏面側を示す平面図である。
【図９】図７のＹ−Ｙ拡大断面図である。
【図１０】図７のＺ−Ｚ拡大断面図である。
【図１１】（ａ）は本発明の実施の形態に係る吸収パッドに適用される背側フックテープの要部拡大図であって、（ｂ）は本発明の実施の形態に係る吸収パッドに適用される腹側フックテープの要部拡大図である。
【図１２】本発明の実施の形態に係る吸収パッドを取り付けた状態の、テープ式使い捨ておむつの展開状態の表面側を示す平面図である。
【図１３】本発明の実施の形態に係る吸収パッドの製造方法を示す図である。
【図１４】本発明の他の実施の形態に係る吸収パッドの断面を示す図である。
【図１５】本発明の他の実施の形態に係る吸収パッドの製造方法を示す図である。
【図１６】本発明の実施の形態に係る吸収パッドを取り付けた状態の、パンツ式使い捨ておむつの展開状態の表面側を示す平面図である。
【符号の説明】
【００７２】
２１      不透液性バックシート
２２      透液性トップシート
２３      吸収体
３１      背側フックテープ
３３      腹側フックテープ
３３ｃ    アーム状部
３５      フックテープ
３５ａ    ベルト状部
２００    吸収パッド
２５０    帯状体
３００    フック基材シート
【図１】
2010046173.tif 000003
【図２】
2010046173.tif 000004
【図３】
2010046173.tif 000005
【図４】
2010046173.tif 000006
【図５】
2010046173.tif 000007
【図６】
2010046173.tif 000008
【図７】
2010046173.tif 000009
【図８】
2010046173.tif 000010
【図９】
2010046173.tif 000011
【図１０】
2010046173.tif 000012
【図１１】
2010046173.tif 000013
【図１２】
2010046173.tif 000014
【図１３】
2010046173.tif 000015
【図１４】
2010046173.tif 000016
【図１５】
2010046173.tif 000017
【図１６】
2010046173.tif 000018